(57)【要約】【課題】安価な構成でノイズの発生を抑制することができる照明装置を提供すること。【解決手段】実施形態に係る照明装置は、発光部と、本体部と、電源ボックスとを具備する。発光部は、複数の発光素子を含む。本体部は、前面側に発光部が設けられる直方体状である。電源ボックスは、本体部の背面側に設けられる直方体状である。また、電源ボックスは、制御基板と、貫通孔と、規制部材とを具備する。制御基板は、対向する側面の内壁にそれぞれ設けられ、発光素子を制御する。貫通孔は、背面の中央部に設けられ、制御基板へそれぞれ接続される配線を通過させる。規制部材は、貫通孔を通過した配線を制御基板が設けられていない側面側へ迂回させる。【選択図】図１
2018055837.tif 000002
【特許請求の範囲】
【請求項１】
複数の発光素子を含む発光部と；
前面側に前記発光部が設けられる直方体状の本体部と；
前記本体部の背面側に設けられる直方体状の電源ボックスと；
を具備し、
前記電源ボックスは、
対向する側面の内壁にそれぞれ設けられ、前記発光素子を制御する制御基板と；
背面の中央部に設けられ、前記制御基板へそれぞれ接続される配線を通過させる貫通孔と；
前記貫通孔を通過した前記配線を前記制御基板が設けられていない前記側面側へ迂回させる規制部材と；
を具備することを特徴とする照明装置。
【請求項２】
前記規制部材は、
前記貫通孔から前記制御基板が設けられていない前記側面へ向かう向きについて当該側面寄りの前記背面側に設けられ、前記配線を前記背面に固定する固定部材であることを特徴とする請求項１に記載の照明装置。
【請求項３】
前記制御基板および前記規制部材の２つの組は、
背面側からみて前記貫通孔について点対称状となるようにそれぞれ配置されることを特徴とする請求項１または２に記載の照明装置。
【発明の詳細な説明】
【技術分野】
【０００１】
本発明の実施形態は、照明装置に関する。
【背景技術】
【０００２】
近年、ＬＥＤ（Light  Emitting  Diode）などの半導体素子を光源とする照明装置が普及している。このような照明装置では、かかる半導体素子を制御する制御基板からノイズが発生する場合がある。
【先行技術文献】
【非特許文献】
【０００３】
【特許文献１】特開２０１３−８４６１０号公報
【発明の概要】
【発明が解決しようとする課題】
【０００４】
本発明が解決しようとする課題は、安価な構成でノイズの発生を抑制することができる照明装置を提供することである。
【課題を解決するための手段】
【０００５】
実施形態に係る照明装置は、発光部と、本体部と、電源ボックスとを具備する。発光部は、複数の発光素子を含む。本体部は、前面側に前記発光部が設けられる直方体状である。電源ボックスは、前記本体部の背面側に設けられる直方体状である。また、電源ボックスは、制御基板と、貫通孔と、規制部材とを具備する。制御基板は、対向する側面の内壁にそれぞれ設けられ、前記発光素子を制御する。貫通孔は、背面の中央部に設けられ、前記制御基板へそれぞれ接続される配線を通過させる。規制部材は、前記貫通孔を通過した前記配線を前記制御基板が設けられていない前記側面側へ迂回させる。
【図面の簡単な説明】
【０００６】
【図１】図１は、実施形態に係る照明装置の概要を示す図である。
【図２】図２は、実施形態に係る制御基板の構成を示すブロック図である。
【図３】図３は、実施形態に係る規制部材を示す図である。
【図４】図４は、実施形態に係る端子台の配置を示す図である。
【図５】図５は、実施形態に係る規制部材の変形例を示す図である。
【発明を実施するための形態】
【０００７】
以下で説明する実施形態に係る照明装置１は、発光部６０と、本体部４０と、電源ボックス２０とを具備する。発光部６０は、複数の発光素子６１を含む。本体部４０は、前面側に発光部６０が設けられる直方体状である。電源ボックス２０は、本体部４０の背面側に設けられる直方体状である。また、電源ボックス２０は、制御基板２５と、貫通孔２８と、規制部材２１、２２とを具備する。制御基板２５は、対向する側面２０ｂ、２０ｃの内壁にそれぞれ設けられ、発光素子６１を制御する。貫通孔２８は、背面２０ａの中央部に設けられ、制御基板２５へそれぞれ接続される配線２６を通過させる。規制部材２１、２２は、貫通孔２８を通過した配線２６を制御基板２５が設けられていない側面側へ迂回させる。
【０００８】
また、以下で説明する実施形態に係る規制部材２１、２２は、貫通孔２８から制御基板２５が設けられていない側面２０ｄ、２０ｅへ向かう向きについて当該側面寄りの背面側に設けられ、配線２６を背面２０ａに固定する固定部材である。
【０００９】
また、以下で説明する実施形態に係る制御基板２５および規制部材２１、２２の２つの組は、背面側からみて貫通孔２８について点対称状となるようにそれぞれ配置される。
【００１０】
以下、図面を参照して、実施形態に係る照明装置１を説明する。実施形態において同一の部位には同一の符号を付し、重複する説明は省略される。また、以下の説明では、照明装置１が吊り下げ式のいわゆるダウンライトである場合について説明する。
【００１１】
（実施形態）
まず、図１を用いて実施形態に係る照明装置１の概要について説明する。図１は、照明装置１の概要を示す斜視図である。なお、図１は、照明装置１を斜め下方向からみた図である。
【００１２】
また、図１では、説明を分かりやすくするために、鉛直方向上向きを正方向とするＺ軸を含む３次元の直交座標を示している。なお、かかる直交座標系は、以下の説明で用いる他の図面においても示す場合がある。
【００１３】
図１に示すように、照明装置１は、支持部１０と、電源ボックス２０と、端子台カバー３０と、本体部４０と、放熱部５０と、発光部６０と、透光性カバー７０とを具備する。
【００１４】
支持部１０は、本体部４０の対向する側面を挟み込むことで、照明装置１を揺動可能に吊り下げて支持する。また、支持部１０は、本体部４０の側面側に例えば半弧状の調整孔を有している。かかる調整孔を介して例えばボルト等の締結部材によって本体部４０へ固定することで、本体部４０の取付角度を調整することができる。
【００１５】
また、支持部１０は、天板に取付孔を有しており、かかる取付孔を介してネジやボルトなどの固定具で天井に固定される。なお、支持部１０は、照明装置１を天井などに固定可能であれば、その形状は問わない。
【００１６】
電源ボックス２０は、発光部６０を制御する制御基板２５（図２にて後述）を収容する。また、電源ボックス２０は、本体部４０の背面側（Ｚ軸正方向側）に配置される直方体状の筐体である。ここで、実施形態に係る照明装置１では、電源ボックス２０の内部で発生するノイズを抑制する構成を有している。この点の詳細は、電源ボックス２０の内部構造とともに図３を用いて後述する。
【００１７】
端子台カバー３０は、電源ボックス２０の背面に設けられ、端子台３１を内蔵する筐体である。また、端子台カバー３０は、側面に配線孔を有し、配線孔を通じて外部から外部配線３５が端子台３１へ接続される。例えば、端子台カバー３０は、照明装置１の取り付け後に、施行者によって取り付けられる。なお、端子台カバー３０を省略することとしてもよい。
【００１８】
端子台３１は、外部配線３５のうち電源線３５ａが接続される電源端子台３１ａと、信号線３５ｂが接続される信号端子台３１ｂとを具備する。また、以下の説明では、端子台３１が２つである場合について説明するが、端子台３１の数は、１つであっても３つ以上であってもよい。
【００１９】
本体部４０は、前面側（Ｚ軸負方向側）に発光部６０が設けられ、背面側（Ｚ軸正方向側）に電源ボックス２０が設けられる。放熱部５０は、発光部６０の背面側に設けられ、複数の放熱フィン５１が間隔をあけて配列される。放熱部５０は、発光部６０の発光素子６１が発光することにより発生する熱を外部へ放出する。
【００２０】
発光部６０は、前面側の発光面上に複数の発光素子６１が配列される。発光素子６１は、例えばＬＥＤ（Light  Emitting  Diode）チップである。発光素子６１は、電源ボックス２０に内蔵された制御基板２５からの制御信号に応じて発光する。
【００２１】
透光性カバー７０は、発光部６０の前面側に設けられ、発光部６０を保護する。なお、透光性カバー７０は、発光部６０で発光された光を遮光しない透過性のガラスや樹脂である。
【００２２】
次に、図２を用いて制御基板２５の構成について説明する。図２は、実施形態に係る制御基板２５の構成を示すブロック図である。なお、図２では、制御基板２５の構成のうち、電源を制御する構成のみを示している。
【００２３】
図２に示すように、制御基板２５は、フィルタ回路２５ａと、整流回路２５ｂと、平滑回路２５ｃと、変圧回路２５ｄとを具備する。フィルタ回路２５ａは、例えば、バンドパスフィルタであり、端子台３１から電源配線２６ａ(図３参照)により供給される交流電流からノイズ成分を除去して整流回路２５ｂへ出力する。
【００２４】
整流回路２５ｂは、例えばダイオードであり、フィルタ回路２５ａから入力されるノイズ成分が除去された交流電流を整流化し、整流電圧を平滑回路２５ｃへ出力する。
【００２５】
平滑回路２５ｃは、例えば平滑化用コンデンサであり、整流回路２５ｂから入力される整流電圧を平滑化して直流電圧に変換し、変圧回路２５ｄに出力する。
【００２６】
変圧回路２５ｄは、平滑回路２５ｃから入力される直流電圧を所定の電圧まで降圧し、発光部６０へ出力する。このように、制御基板２５では、配線２６から入力される交流電圧のノイズがフィルタ回路２５ａによって除去された後に、変圧回路２５ｄに入力される。
【００２７】
ここで、変圧回路２５ｄと図１に示した端子台３１や電源配線２６ａなどが近接した場合、磁界が発生し、かかる磁界によりノイズが発生する。このため、ノイズ対策としてフェライトコアを電源配線２６ａに取付けるなどの対策が一般的にとられる。
【００２８】
しかしながら、上記したノイズ対策を行うと、照明装置１の製造コストが上昇するため好ましくない。そこで、実施形態に係る照明装置１では、安価な構成でノイズの発生を抑制することとしている。
【００２９】
次に、図３を用いて実施形態に係る電源ボックス２０の内部構成について説明する。図３は、実施形態に係る電源ボックス２０の内部構成を示す模式図である。なお、図３は、図１に示した電源ボックス２０内部を下側（Ｚ軸負方向側）からみた図である。
【００３０】
図３に示すように、電源ボックス２０は、制御基板２５と、貫通孔２８と、規制部材２１とを具備する。制御基板２５は、電源ボックス２０の対向する側面２０ｂ、２０ｃの内壁にそれぞれ設けられ、図１に示した発光素子６１を制御する。
【００３１】
貫通孔２８は、電源ボックス２０の背面２０ａの中央部に設けられ、制御基板２５へそれぞれ接続される電源配線２６ａおよび信号配線２６ｂを通過させる。このように、貫通孔２８を背面２０ａの中央部に設けることで、電源配線２６ａおよび信号配線２６ｂは、２つの制御基板２５から所定の距離を持って電源ボックス２０の内側へ通過することができる。
【００３２】
なお、貫通孔２８を、背面２０ａの厳密に中央に設ける必要はなく、中央から任意の幅を持たせて設けることにしてもよい。また、図３では、貫通孔２８が、略真円状である場合について例示したが、貫通孔２８は、楕円状や四角状、三角状などその他の形状であってもよい。また、貫通孔２８を各制御基板２５用に複数設けることにしてもよい。
【００３３】
電源配線２６ａは、電源ボックス２０の背面２０ａの外側に設けられた電源端子台３１ａから貫通孔２８を通過して制御基板２５へ接続され、制御基板２５へ交流電圧を供給する配線である。
【００３４】
信号配線２６ｂは、電源ボックス２０の背面２０ａの外側に設けられた信号端子台３１ｂから貫通孔２８を通過して制御基板２５へ接続され、制御基板２５へ調光信号を供給する配線である。以下、電源配線２６ａおよび信号配線２６ｂを総称して配線２６と記載する。
【００３５】
制御基板２５は、貫通孔２８を通過した電源配線２６ａおよび信号配線２６ｂが接続される。また、制御基板２５上には、変圧回路２５ｄが設けられる。なお、図３では、図２に示したフィルタ回路２５ａ等の記載を省略している。また、図３では、変圧回路２５ｄが、貫通孔２８について点対称状に設置される場合について示している。
【００３６】
このように変圧回路２５ｄを配置することで、変圧回路２５ｄ同士の距離を十分に離すことができる。このため、変圧回路２５ｄ同士の間でノイズが発生することを抑制することができる。なお、例えば、変圧回路２５ｄをＹ軸に沿う向きに略平行に配置するなど、変圧回路２５ｄの設置位置は変更可能である。
【００３７】
ここで、例えば、配線２６と、変圧回路２５ｄとが近接すると、上記の通りノイズが発生する。そこで、実施形態に係る照明装置１では、配線２６を変圧回路２５ｄに近づけないように規制する規制部材２１を設けることとした。
【００３８】
図３に示すように、規制部材２１は、外部から貫通孔２８を通過した配線２６を、制御基板２５が設けられていない側面２０ｄ、２０ｅ側へ迂回させる。すなわち、規制部材２１は、配線２６が変圧回路２５ｄに近づかないように配線２６を規制する。
【００３９】
ここで、規制部材２１は、例えば、結束バンドなどの安価な固定部材である。かかる規制部材２１は、貫通孔２８から側面２０ｅ、２０ｄへ向かう向きについて側面２０ｅ、２０ｄ寄りの背面２０ａに設けられる。例えば、規制部材２１は、電源ボックス２０の背面２０ａに設けられた孔（図示略）を介して配線２６を背面２０ａに固定する。
【００４０】
これにより、規制部材２１は、配線２６が変圧回路２５ｄとノイズが発生する距離よりも近づかないように固定することがきる。また、照明装置１では、上記の通り、規制部材２１として安価な固定部材を用いることができる。したがって、実施形態に係る照明装置１によれば、安価な構成でノイズの発生を抑制することができる。
【００４１】
また、例えば、配線２６は、電源ボックス２０の背面２０ａに沿って制御基板２５へ接続される。すなわち、規制部材２１は、配線２６を貫通孔２８から制御基板２５まで背面２０ａを沿うように固定することができる。
【００４２】
このように制御基板２５への配線２６の接続箇所を背面２０ａ側とすることで、配線２６を不必要に長くしなくてよいので、製造コストを抑えることもできる。なお、規制部材２１は、電源ボックス２０の背面２０ａから所定の隙間をあけて配線２６を固定するようにしてもよい。
【００４３】
また、図３に示すように、規制部材２１は、規制部材２１の少なくとも一部が、貫通孔２８のＹ軸方向における開口した幅内に収まるように設けられることが好ましい。このようにすることで、２つの変圧回路２５ｄに対して配線２６をノイズが発生する距離よりも離間して固定することができる。
【００４４】
なお、規制部材２１を貫通孔２８のＹ軸方向における開口幅よりも、幅を持たして配置することにしてもよい。かかる場合に、規制部材２１をかかる規制部材２１で固定する配線２６が接続される制御基板２５寄りに配置することが好ましい。このようにすることで、配線２６を反対側の制御基板２５と十分に距離を離すことができる。また、規制部材２１を、電源ボックス２０の側面２０ｄ、２０ｅに設けることとしてもよい。
【００４５】
さらに、規制部材２１を、例えば電源配線２６ａ用と、信号配線２６ｂ用など配線ごとに複数設けることにしてもよいし、あるいは、規制部材２１を１つの配線２６に対して複数設けることにしてもよい。また、規制部材２１は、結束バンドなどの固定部材に限定されるものではない。この点については図５を用いて後述する。
【００４６】
また、配線２６が接続される制御基板２５と、かかる配線２６を固定する規制部材２１とを１つの組とした場合、制御基板２５および規制部材２１の組は、貫通孔２８について点対称状に配置される。なお、点対称状とは、厳密に点対称を満たす必要がないことを意味する。
【００４７】
このように配置することで、制御基板２５における変圧回路２５ｄ同士の距離を十分に離すことができる。また、異なる制御基板２５へ接続される配線２６同士の距離も十分に離すことができる。したがって、ノイズの発生を抑制することができる。
【００４８】
なお、制御基板２５と規制部材２１との上記した組を、例えば、貫通孔２８に対して線対称状に配置することにしてもよいし、あるいは、対称性を持たない配置にすることにしてもよい。例えば、線対称状に配置した場合、１つの規制部材２１で配線２６を固定することが可能となるため、コストを削減することができる。
【００４９】
次に、図４を用いて端子台３１および貫通孔２８と、制御基板２５との位置関係について説明する。図４は、実施形態に係る端子台３１の配置例を示す図である。また、図４は、電源ボックス２０を背面側からみた図を示している。また、図４では、説明を簡単にするために、支持部１０や本体部４０、外部配線３５等の記載を省略して示している。
【００５０】
図４に示すように、電源端子台３１ａおよび信号端子台３１ｂは、所定の間隔をあけて離間して設けられる。また、電源端子台３１ａ、信号端子台３１ｂおよび２つの制御基板２５は、貫通孔２８を通過するＹ軸と平行な線に沿って線対称状に配置される。
【００５１】
このように配置することで、制御基板２５、電源端子台３１ａおよび信号端子台３１ｂのそれぞれの距離を十分に離すことができる。したがって、制御基板２５、電源端子台３１ａおよび信号端子台３１ｂの間でノイズが発生することを抑制することができる。
【００５２】
なお、図４に示した電源端子台３１ａおよび信号端子台３１ｂの配置は一例であって、例えば、貫通孔２８を電源端子台３１ａおよび信号端子台３１ｂの間に配置することにしてもよい。かかる場合に、電源端子台３１ａおよび信号端子台３１ｂの沿面距離を空間距離に比べて十分に確保することができるため、電源端子台３１ａおよび信号端子台３１ｂの間でのノイズの発生を抑制することができる。
【００５３】
（変形例）
次に図５を用いて実施形態に係る規制部材２１の変形例について説明する。図５は、実施形態に係る規制部材２１の変形例を示す図である。図５に示すように、変形例に係る規制部材２２は、例えば、棒状の部材であり、ポール２２ａおよびポール２２ｂを含む。
【００５４】
ポール２２ａおよびポール２２ｂは、例えば、電源ボックス２０の背面２０ａに固定される。そして、ポール２２ａおよびポール２２ｂの間で電源配線２６ａおよび信号配線２６ｂを挟み込むように、電源配線２６ａおよび信号配線２６ｂが通過する位置を規制する。
【００５５】
このように、規制部材２２は、電源配線２６ａおよび信号配線２６ｂが変圧回路２５ｄに近接することを抑制することができるため、ノイズの発生を抑制することができる。
【００５６】
なお、規制部材２２を電源配線２６ａおよび信号配線２６ｂが接続される制御基板２５側に位置するポール２２ｂのみとすることにしてもよい。また、ポール２２ａおよびポール２２ｂを、例えば、本体部４０の背面（電源ボックス２０が設けられる面）に取り付けることにしてもよい。
【００５７】
また、規制部材２１または規制部材２２を電源ボックス２０の背面２０ａや、側面２０ｄ、２０ｅに固定されるフック状の部材とし、かかる部材で電源配線２６ａおよび信号配線２６ｂが通過する位置を規制することにしてもよい。
【００５８】
また、規制部材２１または規制部材２２を粘着性のあるテープ状の部材とし、かかる部材で電源配線２６ａおよび信号配線２６ｂを背面２０ａまたは側面２０ｄ、２０ｅに固定することにしてもよい。
【００５９】
なお、上述した実施形態では、照明装置１が、電源ボックス２０と、本体部４０とを１つずつ具備する場合を示したが、これに限られない。すなわち、照明装置１が１つの電源ボックス２０と複数の本体部４０とを具備することにしてもよく、複数の電源ボックス２０と、１つの本体部４０とを具備することにしてもよい。また、本体部４０に複数の発光部６０を並べて配置することとしてもよい。
【００６０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６１】
１            照明装置
１０            支持部
２０            電源ボックス
２０ａ            背面
２０ｂ〜２０ｅ    側面
２１、２２      規制部材
２５            制御基板
２６            配線
２６ａ            電源配線
２６ｂ            信号配線
２８            貫通孔
３１            端子台
３１ａ            電源端子台
３１ｂ            信号端子台
３５            外部配線
３５ａ            電源線
３５ｂ            信号線
４０            本体部
５０            放熱部
５１            放熱フィン
６０            発光部
６１            発光素子
７０            透光性カバー
【図１】
2018055837.tif 000003
【図２】
2018055837.tif 000004
【図３】
2018055837.tif 000005
【図４】
2018055837.tif 000006
【図５】
2018055837.tif 000007